(57)【要約】本発明は、複数のスリーブ好ましくは紙のスリーブを、そこに紙ウェブが巻取られる前、巻取られる間、および巻取られた後に保持して取扱う装置において、硬い材料ウェブを曲げて構成されるとともに、実質的にロールの全長に相当する長さを有する少なくとも１つのインサートスリーブが、同時に保持して取扱うためにロール内に挿入され、インサートスリーブは、多角形、すなわち三角形、長方形等からなる装置に関する。
2008539150.tif 000002
【特許請求の範囲】
【請求項１】
複数のスリーブ好ましくは紙のスリーブを、そこに紙ウェブが巻取られる前、巻取られる間、および巻取られた後に保持して取扱う装置において、
硬い材料ウェブを曲げて構成されるとともに、実質的に前記スリーブの全長に相当する長さを有する少なくとも１つのインサートスリーブが、同時に保持して取扱うために前記スリーブ内に挿入され、
前記インサートスリーブは、多角形、すなわち三角形、長方形等からなることを特徴とする装置。
【請求項２】
前記インサートスリーブは、少なくとも部分的に二重壁を有することを特徴とする請求項１記載の装置。
【請求項３】
前記多角形のインサートスリーブのうち、少なくとも１つの側壁が二重であることを特徴とする請求項２記載の装置。
【請求項４】
前記二重壁は、矩形のインサートスリーブ内で対角線状に延びていることを特徴とする請求項１乃至３のいずれか一項記載の装置。
【請求項５】
前記材料ウェブは、折り目を有するとともに、実質的に前記スリーブの全長に相当する長さに切断されていることを特徴とする請求項１乃至４のいずれか一項記載の装置。
【請求項６】
前記インサートスリーブは、前記スリーブの内側寸法と同一、前記スリーブの内側寸法よりわずかに小さい、または前記スリーブの内側寸法よりわずかに大きい寸法を有することを特徴とする請求項１乃至５のいずれか一項記載の装置。
【請求項７】
前記二重壁の間に、それらを互いに固定するための接着ひも状部が配置されていることを特徴とする請求項１乃至６のいずれか一項記載の装置。
【発明の詳細な説明】
【技術分野】
【０００１】
本発明は、添付の請求項１記載のプレアンブル部分による装置に関する。
【背景技術】
【０００２】
本技術分野において、紙ウェブが巻取られる前、巻取られる間、および巻取られた後にロール例えば封筒用紙を保持して取扱うことを合理化することが非常に必要とされている。一般に、紙ウェブは、３乃至４つ、場合によってはそれ以上のマガジンリールに同時に巻取られ、また幅５００−１０００ｍｍの単一のパッケージに一緒に包装される。一緒に包装される複数のロールは、外端のプラグによって所定位置に保持され、または粘着性ストリップによってシールされた緩い内側スリーブ上に配置される。この内側スリーブには、外端をシールすることなくスリーブを所定位置に保持するため、スロットが形成されている場合もある。さらにスリーブはしっかり固定されたプラスチックストリップ等により、所定位置に保持されたり互いに締結されたりする場合もある。これらの異なる方法は、緩い内側スリーブの取扱いが高価であるため、人手による取扱いを広く強いるものである。内側スリーブは嵩張るとともにスペースを必要とすると考えられる。結果として、従来の取扱い工程は全体として非常にコストがかかるであろう。
【発明の開示】
【発明が解決しようとする課題】
【０００３】
本発明の基礎をなす課題は、スリーブおよび紙ロールを更に合理的に保持して取扱う（ハンドリングする）装置を実現することである。
【課題を解決するための手段】
【０００４】
この課題は、添付の請求項１の特徴を有する冒頭に記載した装置である、本発明によって解決される。
【０００５】
本発明による装置によれば、スリーブおよび完成した紙ロールの取扱いを高度に合理化することができ、使用時のロール交換に関して内側スリーブを取り除くことが非常に簡単となる。硬い材料ウェブは、ロール形式で保持して取扱うことができるとともに、例えば紙、板紙、またはボール紙からなるという点で、インサートスリーブおよびその他の生じうる紙くずを容易にリサイクルすることができる。十分な硬さがあって取扱いが妨げられないことを前提にすれば、適切な材料を選択することは大きな問題ではないので、当然のことながら、インサートスリーブが紙、板紙、またはボール紙から製造されることは特に要求されない。かくして本発明の結果、ロールを保持して取扱う必要性を完全に除去したに等しい装置を実現することができる。すなわち空のスリーブまたはロールとともにインサートスリーブを保持して取扱うエンドユーザーのみが行なう。
【発明を実施するための最良の形態】
【０００６】
添付図面を参照して、本発明を以下更に詳細に説明する。図１は、本発明によるインサートスリーブ上の複数のロールを概略的に示す斜視図である。図２は、図１の各部材を分離した状態を示す図である。図３は、本発明によるインサートスリーブの他の形態を示す、図１と同様の図である。図４は、図３に示す各部材を互いに分離した状態を示す、図２と同様の図である。図５は、シートを折曲げることにより本発明による二重壁を有する三角形のインサートスリーブをどのように作製するかを連続的に示す図である。図６は、シートを折曲げることにより本発明による対角線状の二重壁を有する矩形のインサートスリーブをどのように作製するかを連続的に示す図である。図７は、本発明による三角形のインサートスリーブ上の複数のロールを示す斜視図である。図８は、本発明による矩形のインサートスリーブ上の複数のロールを示す斜視図である。図９は、本発明による矩形のインサートスリーブ上の複数の紙ロールを示す斜視図である。
【０００７】
図１および図２に示される本発明の一実施の形態による装置は、２つの短いスリーブ１、２から構成され、その上に紙ウェブが巻装され、これは例えば封筒用紙ウェブを保持して取扱う（ハンドリングする）ことに関して普通に見られるものである。スリーブ１および２は、三角形形状のインサートスリーブ３上に配置されている。この場合、とりわけインサートスリーブ３は、スリーブ１および２の全長より長くすることは意図していないことを理解されたい。しかしながら、図１および図２において、明確化する目的で、インサートスリーブ３をスリーブ１および２の全長より長く表示している。インサートスリーブ３は実質的にスリーブ１および２の全長に相当する長さを有する。当然のことながら、スリーブ１および２の数が任意であることも更に理解されたい。一般には、３乃至４つのスリーブを１つの同じインサートスリーブ３により保持して取扱う（ハンドリングする）。このような場合、スリーブ１および２の全長の数値は約５００−１０００ｍｍになるであろう。この場合、インサートスリーブ３はスリーブ１および２全体と同じ長さである。
【０００８】
図２は、インサートスリーブ３上に配置される前のスリーブ１、２を示す。いくつかの、例えば５つのスリーブ１、２を基材上に配置してその中にインサートスリーブ３を挿入することは当然容易であり、その後、インサートスリーブ３によって一緒に保持されるので、全てのスリーブ１、２を極めて容易な態様で保持して取扱うことができる。スリーブ１、２およびインサートスリーブ３のパッケージは、紙ウェブをスリーブ１、２上に巻取るため、紙巻取機内に配置されても良い。インサートスリーブ３とスリーブまたは紙ロール１、２とからなるパッケージは、その後一緒に包装され、最終製品における紙ロール交換のために使用される場所にハンドリングされても良い。
【０００９】
重要なことは、インサートスリーブ３が硬い材料から作製され、かつインサートスリーブ３は、スリーブ１、２の内側寸法と同一か、スリーブ１、２の内側寸法よりわずかに大きいか、またはスリーブ１、２の内側寸法よりわずかに小さい寸法を有しても良いことである。
【００１０】
図３および図４に示す本発明による装置の実施の形態は、インサートスリーブが三角形ではなく矩形であるという事柄を除いて図１および図２に示す形態に一致する。
【００１１】
インサートスリーブは、円形、または例えば三角形、四角形等の多角形からなっていても良い。スリーブが多角形の場合、１つの側壁が二重壁からなっていても良く、図１および図２に示す三角形インサートスリーブ３の場合、１つの側壁が二重である。この二重壁の間には、壁を互いに固定するための接着ひも状部を配置することが適当である。
【００１２】
また、図３および図４に示す実施の形態において、１つの側壁は二重であるとともに、その壁を互いに固定するための接着ひも状部が設けられている。
【００１３】
インサートスリーブを作製するための硬い材料ウェブはロールの形状からなっていれば効果的であり、材料ウェブは、インサートスリーブ３用として巻き出され、折り目が形成され、切断され、その後形状を起こされるとともにスリーブ１、２内に挿入される。折り目の形成は切断後に行なわれる可能性が高い。この場合、最終形状が起こされてスリーブ１、２内に挿入される前に、二重壁がある場所に接着ひも状部が設けられても良い。図中部分的に示されるように、完全な二重壁部の代わりに部分的な二重壁部を形成するため、２つの会合する壁が互いに部分的に重なる可能性が更に高い。
【００１４】
重要なことは、インサートスリーブ３上のスリーブ１、２の数は当然任意であり、上述しかつ図示したスリーブ１、２の数に限定されないことを強調しておく。
【００１５】
図５は、無地紙またはシートＡを示し、これは、ロールあるいは、より大きい無地紙またはシートを切断したものから作製されるとともに、いくつかの折り目Ｂによっていくつかの領域またはパネルＦ１−Ｆ４に分割される。これらパネルは実質的に同一のサイズであり、パネルＦ１は、パネルＦ２に対して角度Ｖをなす構造とするために起こされあるいは曲げられ、それからパネルＦ１およびＦ２は、パネルＦ３とＦ４との間の折り目Ｂに対して起こされあるいは曲げられ、三角形スリーブの構造となる。スリーブは、パネルＦ１およびＦ４が二重壁を形成するようにパネルＦ４がパネルＦ１に対して起こされることにより、完成する。パネルＦ１およびＦ４間にある１つ以上の接着ひも状部により、二重壁を接着することができる。
【００１６】
図６は、無地紙またはシートＡを示し、これは図５と同様、ロールあるいは、より大きい無地紙またはシートを切断したものから作製されるとともに、いくつかの折り目Ｂによっていくつかの領域またはパネルＦ１−Ｆ６に分割される。この実施の形態において、パネルＦ１およびＦ６は、完成した矩形または方形のスリーブにおける対角線の長さに相当する幅を有するため、パネルＦ２−Ｆ５よりわずかに大きい。この実施の形態において、パネルＦ１およびＦ６は、パネルＦ２およびＦ５に対して角度Ｖをなす構造とするために起こされあるいは曲げられ、その外端がＦ４およびＦ５間の折り目で会合するようになっており、それから三角形状のスリーブ部分は、パネルＦ１およびＦ６が二重壁を形成するように互いに起こされる。またこの実施の形態において、１つ以上の接着ひも状部により、この二重壁を接着することができる。仮にインサートスリーブを再利用することが望ましいのであれば、接着は不適当であるかも知れないことが理解されうる。これは、完全な二重壁または部分的な二重壁のみを有する他の実施の形態にも当てはまる。
【００１７】
図７は、本発明による二重壁を有する三角形のインサートスリーブ上にある複数のスリーブを示し、図８は、本発明による対角線状の二重壁を有する矩形または方形のインサートスリーブ上にある複数のスリーブを示す。図９は、本発明による矩形または方形のインサートスリーブ上にある複数の紙ロールを示す。これらの紙ロールは、言ってみれば幅が狭く、かつその取扱いが本発明によるインサートスリーブにより大幅に促進される。
【００１８】
本発明による三角形インサートスリーブを修正し、外側のパネルＦ１およびＦ４を折曲げ、これらが等しい大きさからなる２つの単一壁パネル間における角の二等分線となるように延びる二重壁の形態として構成することも可能である。
【００１９】
添付の請求の範囲に規定する発明の概念の射程から離れることなく、様々な修正を加えることは、当然可能である。
【図面の簡単な説明】
【００２０】
【図１】図１は、本発明によるインサートスリーブ上の複数のロールを概略的に示す斜視図。
【図２】図２は、図１の各部材を分離した状態を示す図。
【図３】図３は、本発明によるインサートスリーブの他の形態を示す、図１と同様の図。
【図４】図４は、図３に示す各部材を互いに分離した状態を示す、図２と同様の図。
【図５】図５は、シートを折曲げることにより本発明による二重壁を有する三角形のインサートスリーブをどのように作製するかを連続的に示す図。
【図６】図６は、シートを折曲げることにより本発明による対角線状の二重壁を有する矩形のインサートスリーブをどのように作製するかを連続的に示す図。
【図７】図７は、本発明による三角形のインサートスリーブ上の複数のロールを示す斜視図。
【図８】図８は、本発明による矩形のインサートスリーブ上の複数のロールを示す斜視図。
【図９】図９は、本発明による矩形のインサートスリーブ上の複数の紙ロールを示す斜視図。
【図１】
2008539150.tif 000003
【図２】
2008539150.tif 000004
【図３】
2008539150.tif 000005
【図４】
2008539150.tif 000006
【図５】
2008539150.tif 000007
【図６】
2008539150.tif 000008
【図７】
2008539150.tif 000009
【図８】
2008539150.tif 000010
【図９】
2008539150.tif 000011
【国際調査報告】
2008539150.tif 000012
2008539150.tif 000013
2008539150.tif 000014